(57)【要約】  容器（６００）は、床部（６５１）と、床部（６５１）から上向きに延在する外壁（６５２）とを有する基部（６５０）を含む。蓋（６００）は、天井部（６１１）と、天井部（６１１）から下向きに延在する外壁（６１２）とを含み、蓋は、閉位置と開位置との間で基部に対して移動可能である。閉位置において、組み合わされた蓋及び基部は、製品を取り囲むように構成された空洞を画定する。基部及び蓋の一方は、床部から上向きに又は天井部から下向きに延在する第１の維持タブ（６５６）を含む。第１の維持タブは、基部及び蓋の一方の外壁の内側に位置付けられている。基部及び蓋の他方は、それを通して延在する第１の開口（６２２）を含む。第１の維持タブの少なくとも一部は、第１の開口を通して延在して、蓋を閉位置に維持する。
2020518520.tif 000002
【特許請求の範囲】
【請求項１】
床部と前記床部から上向きに延在する外壁とを含む基部と、
天井部と前記天井部から下向きに延在する外壁とを含む蓋であって、閉位置と開位置との間で前記基部に対して移動可能であり、前記閉位置において、前記組み合わされた蓋及び基部は、製品を取り囲むように構成された空洞を画定する、蓋と
を含み、
前記基部及び前記蓋の一方は、前記床部から上向きに離れて又は前記天井部から下向きに離れて延在する少なくとも１つのタブを含み、前記少なくとも１つのタブは、前記基部及び前記蓋の前記一方の前記外壁の内側に位置付けられており、及び
前記基部及び前記蓋の他方は、それを通して延在する少なくとも１つの開口を含み、前記少なくとも１つのタブの少なくとも一部は、前記少なくとも１つの開口を通して延在して、前記蓋を前記閉位置に維持する、容器。
【請求項２】
前記少なくとも１つのタブは、前記基部及び前記蓋の前記一方の前記外壁の内側に位置付けられている、請求項１に記載の容器。
【請求項３】
前記少なくとも１つのタブは、前記少なくとも１つの開口を通過して、前記蓋が前記開位置に移動することを可能にするように、前記基部及び前記蓋の前記一方の前記外壁から離れて内向きに枢動可能である、請求項１又は２、任意選択的に請求項２に記載の容器。
【請求項４】
前記蓋は、ヒンジの周りで前記基部に対して枢動可能であり、前記少なくとも１つのタブは、前記容器の前記ヒンジとは反対側に位置付けられている、請求項１〜３のいずれか一項、任意選択的に請求項３に記載の容器。
【請求項５】
前記基部は、前記床部から上向きに延在する内壁をさらに含み、前記内壁は、前記基部の前記外壁の内側に位置付けられており、前記少なくとも１つのタブは、前記内壁の外側に位置付けられている、請求項１〜４のいずれか一項、任意選択的に請求項１〜４のいずれか一項に記載の容器。
【請求項６】
前記基部の前記外壁は、前記床部の周縁の周りに延在しており、前記蓋の前記外壁は、前記天井部の周縁の周りに延在している、請求項１〜５のいずれか一項、任意選択的に請求項５に記載の容器。
【請求項７】
前記少なくとも１つの開口は、その周辺の周りに延在する縁部を含み、前記少なくとも１つのタブは、その遠位端又は自由端にフック部を含み、前記容器が前記閉位置にあるとき、前記フック部は、前記縁部に係合する、請求項１〜６のいずれか一項、任意選択的に請求項１〜４のいずれか一項に記載の容器。
【請求項８】
ボタンは、前記フック部と同じ方向において前記少なくとも１つのタブから外向きに延在しており、前記ボタンは、前記フック部の下に位置付けられている、請求項１〜７のいずれか一項、任意選択的に請求項７に記載の容器。
【請求項９】
前記容器が前記閉位置にあるとき、前記ボタンの少なくとも一部は、前記基部及び前記蓋の前記一方の前記外壁の開口を通して延在している、請求項１〜８のいずれか一項、任意選択的に請求項８に記載の容器。
【請求項１０】
前記少なくとも１つのタブは、第１のタブと第２のタブとを含み、前記第１のタブは、前記基部の前記床部から離れて上向きに延在しており、及び前記第２のタブは、前記蓋の前記天井部から離れて下向きに延在しており、前記少なくとも１つの開口は、第１の開口と第２の開口とを含み、前記第１の開口は、前記蓋を通して延在しており、及び前記第２の開口は、前記基部を通して延在している、請求項１〜９のいずれか一項、任意選択的に請求項１〜４のいずれか一項に記載の容器。
【請求項１１】
前記第２のタブは、前記第２の開口を通過するように、前記蓋の前記外壁から離れて内向きに枢動可能である、請求項１〜１０のいずれか一項、任意選択的に請求項１０に記載の容器。
【請求項１２】
前記第２のタブは、その遠位端又は自由端にフック部を含み、前記第２のタブは、前記第２のフック部と同じ方向においてそれから放射状外向きに延在するボタンをさらに含む、請求項１〜１１のいずれか一項、任意選択的に請求項１１に記載の容器。
【請求項１３】
第１の開口部は、前記基部の前記外壁を通して延在しており、及び第２の開口部は、前記蓋の前記外壁を通して延在しており、前記容器が前記閉位置にあるとき、前記第１のタブの前記ボタンの少なくとも一部は、前記第１の開口部を通して延在しており、前記容器が前記閉位置にあるとき、前記第２のタブの前記ボタンの少なくとも一部は、前記第２の開口部を通して延在している、請求項１〜１２のいずれか一項、任意選択的に請求項１２に記載の容器。
【請求項１４】
第１の開口部は、前記基部の前記外壁を通して延在しており、前記容器が前記閉位置にあるとき、前記少なくとも１つのタブの前記ボタンの少なくとも一部は、前記第１の開口部を通して延在している、請求項１〜１３のいずれか一項、任意選択的に請求項１に記載の容器。
【請求項１５】
容器を開ける方法であって、前記容器は、床部と前記床部から上向きに延在する外壁とを有する基部を含み、前記容器は、天井部と前記天井部から下向きに延在する外壁とを有する蓋をさらに含み、第１のボタンは、前記基部の前記外壁を通して外向きに延在しており、第２のボタンは、前記蓋の前記外壁を通して外向きに延在しており、前記方法は、
前記容器の中心の方へ内向きに前記第１のボタンを押すことと、
前記容器の前記中心の方へ内向きに前記第２のボタンを押すことと、
製品を含有するように構成された空洞を露出させるために前記基部に対して前記蓋を枢動させることと
を含む、方法。
【請求項１６】
前記容器の前記中心の方へ内向きに前記第１のボタンを押すことは、第１のタブの第１のフック部に、前記蓋を通して延在する開口の縁部を解放させる、請求項１５に記載の方法。
【請求項１７】
前記容器の前記中心の方へ内向きに前記第２のボタンを押すことは、第２の維持タブの第２のフック部に、前記基部を通して延在する開口の縁部を解放させる、請求項１５又は１６、任意選択的に請求項１５又は１６に記載の方法。
【請求項１８】
前記蓋は、ヒンジの周りで前記基部に対して枢動可能であり、前記第１のボタン及び前記第２のボタンのそれぞれは、前記ヒンジの方へ内向きに押されるように構成されている、請求項１５〜１７のいずれか一項、任意選択的に請求項１５、１６又は２８のいずれか一項に記載の方法。
【請求項１９】
前記基部は、前記床部から上向きに延在する内壁をさらに含み、前記内壁は、前記基部の前記外壁の内側に位置付けられている、請求項１５〜１８のいずれか一項、任意選択的に請求項１５、１６又は２８のいずれか一項に記載の方法。
【請求項２０】
前記第１のボタンは、前記基部の前記床部から上向きに延在する第１の維持タブから外向きに延在しており、及び前記第２のボタンは、前記蓋の前記天井部から下向きに延在する第２の維持タブから外向きに延在している、請求項１５〜１９のいずれか一項、任意選択的に請求項１５に記載の方法。
【請求項２１】
前記第１のボタン及び前記第２のボタンのそれぞれは、前記容器の同じ側の開口を通して露出されている、請求項１５〜２０のいずれか一項、任意選択的に請求項１５に記載の方法。
【請求項２２】
前記容器は、４つの側面と、頂面と、底面とを含む、請求項１５〜２１のいずれか一項、任意選択的に請求項２１に記載の方法。
【請求項２３】
床部と前記床部から上向きに延在する外壁とを含む基部であって、第１の維持タブは、前記床部から上向きに離れて延在しており、前記第１の維持タブは、前記基部の前記外壁の内側に位置付けられており、開口は、前記基部を通して延在している、基部と、
天井部と前記天井部から下向きに延在する外壁とを含む蓋であって、第２の維持タブは、天井部から下向きに離れて延在しており、前記第２の維持タブは、前記蓋の前記外壁の内側に位置付けられており、開口は、前記蓋を通して延在している、蓋と、
前記蓋を前記基部に枢動可能に取り付けているヒンジと
を含み、
前記蓋は、閉位置と開位置との間で前記基部に対して移動可能であり、前記閉位置において、前記組み合わされた蓋及び基部は、製品を取り囲むように構成された空洞を画定し、前記蓋が前記閉位置にあるとき、前記第１の維持タブの少なくとも一部は、前記蓋の前記開口を通して延在しており、前記蓋が前記閉位置にあるとき、前記第２の維持タブの少なくとも一部は、前記基部の前記開口を通して延在している、容器。
【請求項２４】
各開口は、その周辺の周りに延在する縁部を含み、各維持タブは、その遠位端のフック部とボタンとを含み、前記容器が前記閉位置にあるとき、各フック部は、前記縁部の１つに係合する、請求項２３に記載の容器。
【請求項２５】
各外壁は、それを通して延在する開口を含み、前記容器が前記閉位置にあるとき、各ボタンの少なくとも一部は、前記開口の１つを通して延在している、請求項２３又は２４、任意選択的に請求項２３又は２４に記載の容器。
【請求項２６】
各維持タブは、前記それぞれの開口を通過して、前記蓋が前記開位置に移動することを可能にするように、前記基部及び前記蓋の前記一方の前記外壁から離れて内向きに枢動されるように構成されている、請求項２３〜２５のいずれか一項、任意選択的に請求項２３に記載の容器。
【請求項２７】
前記基部及び前記蓋のそれぞれは、その前記外壁から内向きに間隔をあけられた内壁を含む、請求項２３〜２６のいずれか一項、任意選択的に請求項２６に記載の容器。
【請求項２８】
容器を開ける方法であって、前記容器は、床部と、前記床部から上向きに延在する外壁と、前記床部から上向きに離れて延在する第１のタブとを有する基部を含み、前記容器は、天井部と、前記床部から下向きに延在する外壁と、前記床部から下向きに離れて延在する第２のタブとを有する蓋をさらに含み、前記方法は、
前記蓋の前記天井部から前記第１のタブを解放するために前記容器の中心の方へ内向きに前記第１のタブを押すことと、
前記基部の前記床部から前記第２のタブを解放するために前記容器の前記中心の方へ内向きに前記第２のタブを押すことと、
製品を含有するように構成された空洞を露出させるために前記基部に対して前記蓋を枢動させることと
を含む、方法。
【請求項２９】
前記第１のタブは、前記容器の中心線の第１の側にあり、及び前記第２のタブは、前記容器の前記中心線の反対側の第２の側にある、請求項２８、任意選択的に請求項２８に記載の方法。
【請求項３０】
前記第１のタブは、前記基部の前記外壁の内側に位置付けられており、前記第２のタブは、前記基部の前記外壁の内側に位置付けられている、請求項２８又は２９、任意選択的に請求項２８又は２９に記載の方法。
【請求項３１】
前記第１のタブ及び前記第２のタブは、同時に押される、請求項２８〜３０のいずれか一項、任意選択的に請求項２８又は２９に記載の方法。
【請求項３２】
前記容器の前記中心の方へ内向きに前記第１のタブ及び前記第２のタブを押す前記ステップは、前記容器のヒンジの方へ前記第１のタブ及び前記第２のタブを押すことを含む、請求項２８〜３１のいずれか一項、任意選択的に請求項２８に記載の方法。
【請求項３３】
前記容器の幅は、前記容器の長さに等しい、請求項１〜３２のいずれか一項に記載の容器又は方法。
【発明の詳細な説明】
【技術分野】
【０００１】
関連出願の相互参照
本出願は、２０１７年５月５日に出願された「ＣＯＮＴＡＩＮＥＲ  ＨＡＶＩＮＧ  ＣＨＩＬＤ  ＲＥＳＩＳＴＡＮＴ  ＳＥＮＩＯＲ  ＦＲＩＥＮＤＬＹ  ＦＥＡＴＵＲＥＳ」という名称の米国仮特許出願第６２／５０１，８９９号明細書及び２０１７年７月１４日に出願された「ＣＯＮＴＡＩＮＥＲ  ＨＡＶＩＮＧ  ＣＨＩＬＤ  ＲＥＳＩＳＴＡＮＴ  ＳＥＮＩＯＲ  ＦＲＩＥＮＤＬＹ  ＦＥＡＴＵＲＥＳ」という名称の米国仮特許出願第６２／５３２，４０３号明細書からの優先権を主張し、それらの利益を主張する。これらの出願のそれぞれの開示は、参照により本明細書に組み込まれる。
【背景技術】
【０００２】
薬剤及び他の潜在的に有害な製品に意図せずに接近することから子供を保護する必要がある。処方された薬剤のわずかに１、２錠の摂取が子供にとって致命的である可能性がある。また、大人、すなわち特定の操作及び手先の器用さを必要とする容器を開けるための指示を理解する認知能力を有する任意の人が直ちに且つ簡単に開けられる容器を提供する必要もある。そのような人は、内容物にアクセスするためにそのような容器を開ける行為が計画的な行為であり、そのような内容物へのアクセスを達成する必要性があるときにのみ行われることを理解する能力を有すると考えられる。また、十分な量の製品を保持しながら、小さい空間（例えば、ユーザのズボンのポケット）内に容易に適合するように構成されるような比較的小さいそのような容器を作成する必要もある。
【０００３】
市場には、いくつかの従来の、子供には操作できない、すなわち子供に安全な容器がある。それらは、一般に、処方箋が、薬剤師が複数の丸剤、錠剤、ジェルキャップ、カプセル又は同様のものの１つ又は複数を調剤することを要求する処方薬を調剤するとき、調剤薬剤師によって採用されている。例えば、容器は、丸剤容器のための押しながら回す密封装置又は丸剤容器のための矢印位置合わせ密封装置を含み得る。
【０００４】
容器のための押しながら回すシステムは、従来、容器を開けるために、容器のための密封装置又はキャップを軸方向に押し下げて、同時に回転させなければならないシステムを指す。容器のための矢印位置合わせシステムは、従来、容器を開けるために、密封装置又はキャップ上の矢印を、容器上にエンボス加工されたような容器上の矢印と一直線に並べなければならないシステムを指す。しかしながら、これらの容器は、大人、特に年配者又は身体的障害若しくは関節炎を有する人にとっても多くの場合に使用が困難である。
【０００５】
別の種類の先行技術の容器は、米国特許出願公開第２０１７／０１３７１８４号明細書（Ｂｕｒｅｋ）で示されて、説明されており、これは、側方ピンチ及び前方プッシュダウン機能を開示している。
【発明の概要】
【課題を解決するための手段】
【０００６】
ここで開示する技術は、さまざまな設計及び構成を含む。例えば、１つの設計は、容器の前部で押し込み、同時に矢印の表示に基づいて容器の両半分（例えば、蓋及び基部）を強制的に開くことによって開けられる容器を含む。そのような操作は、容器をロックし続けるか又は閉じ続けるために使用されるフックの対をアンロックする。別の設計は、容器の底部に配置された２つのくぼんだ領域を有する容器を含む。これらのくぼんだ領域により、ユーザの指でロック機構をつまむことができる。ユーザは、容器の底部をつまみ、同時に前方から容器を開けることにより容器を開けることができる。さらなる設計は、ユーザがロック機能としても機能する容器の部分を押すように構成された容器を含む。ロック機能を押し込むことにより、その機能は、抵抗を提供する容器の部分を取り除き、それにより、ユーザは、容器を開けることができる。
【０００７】
一実施形態において、ここで開示する技術は、床部と床部から上向きに延在する外壁とを有する基部を含む容器を対象とする。蓋は、天井部と天井部から下向きに延在する外壁とを含み、蓋は、閉位置と開位置との間で基部に対して移動可能である。閉位置において、組み合わされた蓋及び基部は、製品を取り囲むように構成された空洞を画定する。基部及び蓋の一方は、床部から上向きに又は天井部から下向きに延在する第１の維持タブを含む。第１の維持タブは、基部及び蓋の一方の外壁の内側に位置付けられている。基部及び蓋の他方は、それを通して延在する第１の開口を含む。第１の維持タブの少なくとも一部は、第１の開口を通して延在して、蓋を閉位置に維持する。
【０００８】
別の実施形態において、ここで開示する技術は、容器を開ける方法を対象とする。容器は、床部と床部から上向きに延在する外壁とを有する基部を含む。容器は、天井部と天井部から下向きに延在する外壁とを有する蓋をさらに含む。第１のボタンは、基部の外壁を通して外向きに延在している。第２のボタンは、蓋の外壁を通して外向きに延在している。方法は、容器の中心の方へ内向きに第１のボタンを押すことと、容器の中心の方へ内向きに第２のボタンを押すことと、製品を含有するように構成された空洞を露出させるために基部に対して蓋を枢動させることとを含む。
【０００９】
さらに別の実施形態において、ここで開示する技術は、床部と床部から上向きに延在する外壁とを有する基部を含む容器を対象とする。第１の維持タブは、床部から上向きに延在している。第１の維持タブは、任意選択的に、基部の外壁の内側に位置付けられている。開口は、基部を通して延在している。蓋は、天井部と天井部から下向きに延在する外壁とを含む。第２の維持タブは、天井部から下向きに延在している。第２の維持タブは、任意選択的に、蓋の外壁の内側に位置付けられている。開口は、蓋を通して延在している。ヒンジは、蓋を基部に枢動可能に取り付けている。蓋は、閉位置と開位置との間で基部に対して移動可能である。閉位置において、組み合わされた蓋及び基部は、製品を取り囲むように構成された空洞を画定する。蓋が閉位置にあるとき、第１の維持タブの少なくとも一部は、蓋の開口を通して延在している。蓋が閉位置にあるとき、第２の維持タブの少なくとも一部は、基部の開口を通して延在している。
【００１０】
さらに他の実施形態において、ここで開示する技術は、容器を開ける方法を対象とする。容器は、床部と、床部から上向きに延在する外壁と、床部から上向きに延在する第１のタブとを有する基部を含む。容器は、天井部と、床部から下向きに延在する外壁と、床部から下向きに延在する第２のタブとを有する蓋をさらに含む。方法は、蓋の天井部から第１のタブを解放するために容器の中心の方へ内向きに第１のタブを押すことと、基部の床部から第２のタブを解放するために容器の中心の方へ内向きに第２のタブを押すことと、製品を含有するように構成された空洞を露出させるために基部に対して蓋を枢動させることとを含む。
【００１１】
ここで開示する技術の前述の概要及び以下の詳細な説明は、添付図面とともに読まれるとき、よりよく理解されるであろう。添付図面では、同様の数字は、全体を通して同様の要素を示す。ここで開示する技術を例示するためにさまざまな例示的な実施形態が図面に示されている。しかしながら、ここで開示する技術は、示された正確な配置及び手段に限定されないことが理解されるべきである。
【図面の簡単な説明】
【００１２】
【図１】ここで開示する技術の実施形態の容器の斜視図であり、容器は、第１の構成、すなわち閉じた構成で示されている。
【図２】図１の容器の別の斜視図であり、容器は、第２の構成、すなわち開いた構成で示されている。
【図３】図２の容器の一部の拡大図である。
【図４】図２の容器のさらに別の斜視図である。
【図５】図２の容器のさらに別の斜視図である。
【図６】図１の線Ａ−Ａに沿ってとられた容器の横断立面図である。
【図７】図６の容器の一部の拡大図である。
【図８】ここで開示する技術の実施形態の容器の斜視図であり、容器は、第１の構成、すなわち閉じた構成で示されている。
【図９】図８の容器の別の斜視図である。
【図１０】図８の容器のさらに別の斜視図であり、容器は、第２の構成、すなわち開いた構成で示されている。
【図１１】図１０の容器の一部の拡大図である。
【図１２】図１０の容器のさらに別の斜視図である。
【図１３】図１２の容器の一部の拡大図である。
【図１４】図９の線Ｂ−Ｂに沿ってとられた容器の横断立面図である。
【図１５】図１４に示された容器の一部の拡大図である。
【図１６】ここで開示する技術の実施形態の容器の斜視図であり、容器は、第１の構成、すなわち閉じた構成で示されている。
【図１７】図１６の容器の斜視図であり、容器は、第２の構成、すなわち開いた構成で示されている。
【図１８】図１７の容器の別の斜視図である。
【図１９】図１８の容器の一部の拡大図である。
【図２０】図１６の容器の一部のさらに別の斜視図である。
【図２１】図２０の容器の一部の拡大図である。
【図２２】ここで開示する技術の実施形態の容器の斜視図であり、容器は、第１の構成、すなわち閉じた構成で示されている。
【図２３】図２２の容器の斜視図であり、容器は、第２の構成、すなわち開いた構成で示されている。
【図２４】図２３の容器の別の斜視図である。
【図２５】図２３の容器のさらに別の斜視図である。
【図２６】図２２の線Ｄ−Ｄに沿ってとられた横断立面図である。
【図２７】ここで開示する技術の実施形態の容器の斜視図であり、容器は、第１の構成、すなわち閉じた構成で示されている。
【図２８】図２７の容器の別の斜視図である。
【図２９】図２７の容器のさらに別の斜視図である。
【図３０】図２９の容器の一部の拡大図である。
【図３１】図２７の線Ｅ−Ｅに沿ってとられた断面図である。
【図３２】図２７の容器のさらに別の斜視図であり、容器は、第２の構成、すなわち開いた構成で示されている。
【図３３】図３２の容器の一部の拡大図である。
【図３４】図３３の容器の別の部分の拡大図である。
【図３５】ここで開示する技術の実施形態の容器の斜視図であり、容器は、第１の構成、すなわち閉じた構成で示されている。
【図３６】図３５の容器の斜視図であり、容器は、第２の構成、すなわち開いた構成で示されている。
【図３７】図３６の容器の一部の拡大図である。
【図３８】図３５の線Ｆ−Ｆに沿ってとられた断面図である。
【図３９】図３８の容器の一部の拡大図である。
【図４０】ここで開示する技術の実施形態の容器の上部斜視図であり、容器は、第１の構成、すなわち閉じた構成で示されている。
【図４１】図４０の容器の平面図である。
【図４２】図４０の容器の正面立面図である。
【図４３】図４０の容器の底面斜視図である。
【図４４】図４０の容器の上部斜視図であり、容器は、第２の構成、すなわち開いた構成で示されている。
【図４５】ここで開示する技術の実施形態の容器の底面斜視図であり、容器は、第１の構成、すなわち閉じた構成で示されている。
【図４６】図４５の容器の上部斜視図であり、容器は、第２の構成、すなわち開いた構成で示されている。
【図４７】ここで開示する技術の実施形態の容器の底面斜視図であり、容器は、第１の構成、すなわち閉じた構成で示されている。
【図４８】図４７の容器の上部斜視図であり、容器は、第２の構成、すなわち開いた構成で示されている。
【発明を実施するための形態】
【００１３】
システム、装置及び方法が実施例及び実施形態として本明細書で説明されるが、当業者は、ここで開示する技術が、説明される実施形態又は図面に限定されないことを認識する。むしろ、ここで開示する技術は、添付の請求項の趣旨及び範囲に含まれるすべての変形形態、均等物及び代替形態を網羅する。本明細書に開示される任意の一実施形態の特徴は、省略することができるか又は別の実施形態に組み込むことができる。
【００１４】
以下の説明の目的では、「左」、「右」、「上方」、「下方」、「頂部」、「底部」及びそれらの派生語など、本明細書で使用される方向を示す語句は、図面でそれが方向付けられるように、開示される概念に関連するものとする。図面に図示されて、以下の本明細書で説明される特定の要素は、単に開示される概念の例示的な実施形態であることが理解されるべきである。したがって、本明細書に開示される実施形態に関連する特定の向き及び他の物理的特性は、開示される概念の範囲に対する限定と考えるべきではない。
【００１５】
本明細書で使用される見出しは、構成上の目的のみであり、説明又は請求項の範囲を限定することを意図するものではない。本明細書で使用される場合、単語「〜し得る」は、必須の意味（すなわち、〜しなければならないの意味）ではなく、許容の意味（すなわち、〜する可能性を有するの意味）で使用される。本明細書に特に示されない限り、用語「１つの（ａ）」、「１つの（ａｎ）」及び「その」は、１つの要素に限定されないが、代わりに「少なくとも１つ」を意味すると解釈すべきである。用語は、上記の単語、その派生語及び同様の趣旨の単語を含む。
【００１６】
開示される概念による容器１００の第１の実施形態が図１〜７に示されている。容器１００は、蓋１１０と基部１５０とを含む。蓋１１０及び基部１５０は、任意選択的に、ヒンジで接続される（例えば、図５に示される、ヒンジ１９０を参照されたい）。任意選択的に、この構成は、クラムシェル状の構造となり、例えば、容器の長さ及び幅は、略等しく、いずれも容器の高さよりかなり大きい。この設計は、製品格納のための狭い空間を特徴とし、小さい、薄い又は細い製品をその中に封入することができる。そのような製品は、多くの場合、子供に安全な形態で包装することが難しい。開示される概念に従って、容器１００は、子供に安全で高齢者に優しい手段をさらに含み、その手段により、子供が容器１００を開けることは難しくなるが、大人が容器１００を開けることは比較的容易になる。
【００１７】
より詳細には、図２を参照すると、基部１５０は、床部１５１と、床部１５１から延在する外壁１５２と、床部１５１から延在する内壁１５４とを有する。内壁全体は、外壁１５２から内向きに間隔をあけることができる。さらにまた、基部１５０は、床部１５１から上向きに延在するラッチ部、ラッチ機構又は保持部材１５６を有する。一実施形態において、ラッチ機構は、内壁１５４から外向きに間隔をあけられている。
【００１８】
図２に示されるように、外壁１５２は、ラッチ部１５６の両側に配置される端部１６０、１６２で終了するか、又はラッチ部１５６の両側に配置される端部１６０、１６２を含む。各端部１６０、１６２は、蓋１１０が閉位置にあるとき、歯１１４、１１６の１つを相補的に受けるように寸法決めし、成形し、且つ／又は構成することができる。例えば、各端部１６０、１６２は、切り欠きの形状とすることができる。このようにして、以下に記載されるように、ラッチ部１５６は、床部１５１の周りを枢動することができる。任意選択的に、ラッチ部１５６は、リビングヒンジとすることができるヒンジ１９０の反対側に位置付けられる。
【００１９】
蓋１１０は、天井部１１１と、その周辺の周りの略全体で延在する外壁１１２と、外壁１１２及び／又は天井部１１１から下向きに延在する少なくとも２つの離間した歯１１４、１１６とを有する。外壁１１２は、歯１１４と１１６との間に位置付けられる溝付区域１１８を有し、蓋１１０は、溝付区域１１８から外向きに延在する細長い突出部１２０をさらに有する。
【００２０】
突出部１２０（及び／又は蓋１１０の別の部分）とラッチ部１５６との間の相互作用は、子供に安全な手段又は子供に安全で高齢者に優しい機能を容器１００に提供する。より詳細には、図６及び７に示されるように、容器１００が閉位置にある（すなわち丸剤、錠剤などの製品がその空洞に封入されている）とき、ラッチ部１５６の遠位部１５８は、突出部１２０の頂部（及び／又は蓋１１０の別の部分）に係合して、その上に載る。このようにして、蓋１１０は、ラッチ部１５６の存在のため、又はラッチ部１５６によって引き起こされる妨害のため、特定の動作又は操作が完了しない限り、開位置へ移動することが阻止される。すなわち、ラッチ部１５６の遠位部１５８は、蓋１１０が基部１５０から離れることを阻止し、且つ／又は容器１００を閉位置に維持する。任意選択的に、ラッチ部１５６の近位部は、基部１５０と一体的に又は単一的に形成される。
【００２１】
一態様において、ラッチ部１５６は、例えば、大人が遠位部１５８を蓋１１０から引き離すことにより、方向１８０に移動又は枢動されるように構造化、配置及び／又は構成されている。ラッチ部１５６が方向１８０に十分な距離を移動されると、ラッチ部１５６と蓋１１０の突出部１２０との間のあらゆる干渉が取り除かれる。次いで、ユーザは、蓋１１０を開けることができる。より詳細には、１つの例において、次いで、ユーザは、歯１１４、１１６を（すなわち歯１１４、１１６の適切なそれぞれの把持部１２４、１２６（図３を参照されたい）によって）自由に把持し、蓋１１０を開位置まで回転させる。しかしながら、ユーザは、操作のこの時点で蓋１１０を開けるために歯１１４、１１６を把持する必要がなく、それは、蓋１１０（又は本体１５０）のいくつかの他の部分に、容器１００を開けるために接触することができるためである。
【００２２】
任意選択的に、図７に示されるように、ラッチ部１５６は、ラッチ部１５６を方向１８０に移動させて容器１００を開位置（図２〜５）に移動させるとき又はラッチ部１５６を任意の他の方向に移動させるとき、ユーザがラッチ部１５６をより確実に把持できるように機能する複数の離間した把持部１７４を含む。
【００２３】
したがって、容器１００は、閉位置から開位置まで容器１００を移動させるために、ユーザが２つの異なるステップを実行しなければならない機構を有する。最初に、ユーザは、方向１８０に又は蓋１１０からラッチ部を解放する方向にラッチ部１５６を引かなければならない。次に、遠位部１５８と突出部１２０又は蓋１１０の任意の他の部分との間にもはや干渉がなくなると、ユーザは、歯１１４、１１６に関して又は基部１５０に対して蓋１１０を枢動させることにより、蓋１１０を簡単に開けることができる。
【００２４】
本実施形態は、本明細書に示されて、説明される厳密な構成に限定されない。例えば、修正された態様では、ラッチ部１５６は、蓋１１０の天井部１１１から下向きに延在し、歯１１４、１１６は、基部１５０の床部１５１から上向きに延在する。
【００２５】
開示される概念による容器２００の第２の実施形態が図８〜１５に示されている。図１〜７の実施形態と図８〜１５の実施形態との間の類似の構造又は同一の構造は、図１〜７の参照番号より１００大きい参照番号により、図８〜１５において識別される。図１〜７の実施形態と図８〜１５の実施形態との間の特定の類似点の説明は、便宜及び簡潔さのみのために本明細書で省略され得る。
【００２６】
容器２００は、蓋２１０と、リビングヒンジなどのヒンジで蓋２１０に任意選択的に接続された基部２５０とを含む。開示される概念に従って、容器２００は、新規の子供に安全で高齢者に優しい機能をさらに含む。
【００２７】
より詳細には、図１０に示されるように、基部２５０は、床部２５１と、床部２５１から外向きに延在する外壁２５２と、床部２５１から外向きに延在する内壁２５４とを含む。図１１を参照すると、外壁２５２は、少なくとも１つ、２つ又は複数の溝付区域２５６、２５８を含む。保持部材又はラッチ機構２６０は、溝付区域２５６の上部と２５８の上部との間に配置されるか、又は溝付区域２５６及び２５８間に延在する。任意選択的に、保持部材２６０は、保持部材２６０から外向きに延在する少なくとも１つの突出部２６２と、保持部材２６０から外向きに延在する少なくとも１つのボタン機構２６４とを有する。突出部２６２は、ボタン機構２６４より上に配置することができる。保持部材２６０は、内壁２５４の方へ内向きに曲げることができる（すなわちユーザが押すことに反応する）。より詳細には、保持部材２６０の下端は、その床部２５１などの基部２５０と一体的に形成することができる。保持部材２６０の上端は、固定されない可能性があるか、又はいずれの構造にも接続されない可能性がある。
【００２８】
図１２及び１３を参照すると、蓋２１０は、少なくとも１つ、２つ又は複数のポケット部２１２と、ポケット部２１２の中に位置付けられた又はポケット部２１２を通して延在する少なくとも１つの溝２１４とを含む。本開示の説明の容易さ及び効率性のために、保持部材２６０及び溝２１４のみが本明細書で論じられている。しかしながら、基部２５０の対応する反対側の保持部材２７０と、蓋２１０の対応する反対側の溝とは、保持部材２６０及び溝２１４と同様に相互作用することが理解されるであろう。
【００２９】
突出部２６２と溝２１４との相互作用は、子供に安全で高齢者に優しい機能を容器２００に提供する。より詳細には、図９の線Ｂ−Ｂに沿ってとられた断面図である図１４及び１５を参照すると、容器２００が閉位置にあるとき、突出部２６２は、少なくとも部分的に溝２１４を通して延在する。１つの例示的な実施形態において、突出部２６２は、完全に溝２１４を通して延在する。この相互作用は、典型的な開放動作（すなわち子供によって簡単に実行される可能性のある開放動作）によって蓋２１０が開けられることを防ぐ。すなわち、示されるように、図１５に示された位置で蓋２１０を開けようと試みられた場合、突出部２６２の溝２１４との干渉により、蓋２１０が開くことが阻止されるであろう。しかしながら、先に述べたように、保持部材２６０は、（例えば、図１５に示されるような方向２８０に又は容器２００の幾何学的中心の方の内向きの方向に）移動可能であるように構成される。したがって、ユーザがボタン機構２６４を押して、保持部材２６０を方向２８０に曲げた場合、突出部２６２と溝２１４との干渉がなくなり、それにより蓋２１０を開けることが可能になる。さらにまた、容器２００には、複数の把持部が設けられ（例えば、図１５の蓋２１０の把持部２２０を参照されたい）、その把持部により、ユーザは、より簡単に蓋２１０を開けることができる。
【００３０】
したがって、ユーザが容器２００を開けたいとき、ユーザは、容器２００を開けるために、２つの操作を実行しなければならない。最初に、ユーザは、各保持部材２６０、２７０を内向きに曲げなければならない（すなわち突出部２６２及び保持部材２７０の突出部を解放する）。次に、保持部材２６０が曲げられて、干渉がなくなると、ユーザは、基部２５０に対して蓋２１０を枢動させることで蓋２１０を開けることができる。
【００３１】
開示される概念による容器３００の第３の実施形態が図１６〜２１に示されている。容器３００は、蓋３１０と、ヒンジで蓋３１０に任意選択的に接続された基部３５０とを含む。開示される概念に従って、容器３００は、子供に安全で高齢者に優しい機能をさらに含む。
【００３２】
図１７を参照すると、基部３５０は、床部３５１と、外壁３５２と、内壁３５４とを有する。さらにまた、示されるように、基部３５０は、内壁３５４と外壁３５２との間で床部３５１から上向きに延在する少なくとも１つの保持部材３５６を有する。一実施形態において、保持部材３５６は、外壁３５２の内面に取り付けられるか、又は外壁３５２の内面と一体的に形成される。図１７に示されるように、保持部材３５６は、少なくとも１つのプラットフォーム又は突出部３５８を有する。任意選択的に、各突出部３５８は、ヒンジから離れるように保持部材３５６から外向きに延在することができる。
【００３３】
図１９を参照すると、蓋３１０は、複数の離間した固定部材３１２、３１４を含む。任意選択的に、各固定部材３１２、３１４は、フック部３１６、３１８を含む。フック部３１６、３１８は、それぞれ固定部材３１２、３１４の遠位端又は内側端に位置付けることができる。一実施形態において、固定部材３１２、３１４は、蓋３１０に枢動可能に取り付けられる。容器３００が閉位置にあるとき、少なくとも一方又は両方のフック部３１６、３１８とプラットフォーム３５８との相互作用は、子供に安全で高齢者に優しい機能を容器３００に提供する。
【００３４】
より詳細には、図２０及び２１に示されるように、容器３００が閉位置にあるとき、フック部３１６、３１８は、プラットフォーム３５８の下に位置付けられる。このようにして、典型的な開放動作（例えば、基部３５０に対して蓋３１０を枢動させようとする）では容器３００を開けることができない。すなわち、ユーザが蓋３１０を開けようとする場合、フック部３１６、３１８の少なくとも一部は、プラットフォーム３５８の下面に係合して干渉する。さらにまた、固定部材３１２、３１４は、閉位置の方に付勢される。すなわち、固定部材３１２、３１４の外側端（例えば、ヒンジから最も遠い部分）は、互いから離れる位置に付勢される。固定部材３１２、３１４の外側端は、（例えば、ユーザが親指と人差し指との間に外側端を置いて、次いで外側端を互いの方へ押し込むことによって）互いにより近くに持ってくることができる。しかしながら、その押し込む力が解放されると、固定部材３１２、３１４の外側端部は、図１６に示される位置又は向きに戻る。
【００３５】
容器３００を開けるために、ユーザは、２つの別個の操作を実行しなければならない。最初に、ユーザは、フック部３１６、３１８とプラットフォーム３５８との干渉を取り除かなければならない。これを行うために、ユーザは、固定部材３１２、３１４を互いの方へ押し込まなければならない。例えば、固定部材３１２、３１４をユーザが押し込むことができるそれぞれの方向に対応する図１６の方向３１３、３１５を参照されたい。次に、固定部材３１２、３１４を（例えば、方向３１３、３１５に）押し込むと、ユーザは、基部３５０に対して蓋３１０を枢動させることにより、蓋３１０を簡単に開けることができる。このようにして、容器３００は、有益な子供に安全で高齢者に優しい機能を有する。
【００３６】
開示される概念による容器４００の第４の実施形態が図２２〜２６に示されている。図１〜７の実施形態と図２２〜２６の実施形態との間の類似の構造又は同一の構造は、図１〜７の参照番号より４００大きい参照番号により、図２２〜２６において識別される。図１〜７の実施形態と図２２〜２６の実施形態との間の特定の類似点の説明は、便宜及び簡潔さのみのために本明細書で省略され得る。
【００３７】
容器４００は、蓋４１０と、ヒンジ（例えば、図２３に示される、ヒンジ４９０を参照されたい）で任意選択的に接続された基部４５０とを含む。開示される概念に従って、容器４００は、子供に安全で高齢者に優しい手段を含む。
【００３８】
より詳細には、図２３〜２５を参照すると、基部４５０は、床部４５１を有する。環状壁４５４は、床部４５１から上向きに延在し、少なくとも１つのラッチ部４５６は、床部４５１から上向きに延在する。任意選択的に、環状壁全体４５４は、床部４５１の外縁全体から内向きに間隔があけられている。さらに、ラッチ部４５６は、床部４５１の外縁から内向きに間隔があけられて、環状壁４５４と床部４５１の外縁との間にある。任意選択的に、ラッチ部４５６は、床部４５１に対して枢動可能である。ラッチ部４５６は、ヒンジ４９０の反対側の基部４５０上に位置付けることができる。
【００３９】
蓋４１０は、天井部４１１と、天井部４１１から下向きに延在する外壁４１２と、天井部４１１から下向きに延在する内壁４１４とを含む。内壁全体４１４は、外壁４１２から離間して、外壁４１２に対して内側に配置されている。製品は、内壁４１４内に配置され得る。外壁４１２は、少なくとも１つ又は複数のタブ４１６、４１８を含む。任意選択的に、維持部４２０は、２つのタブ４１６及び４１８間に配置される。図２４に最も明確に示されるように、蓋４１０は、蓋４１０を通して延在する穴を画定する縁部４２２を有する。本実施形態の穴は、第１の実施形態（図１を参照されたい）の蓋のカットアウトと異なり、それは、本実施形態の穴が蓋４１０によってすべての側面において囲まれているためである。容器４００が閉位置にあるとき、基部４５０のラッチ部４５６の少なくとも一部は、貫通穴を通して延在するように寸法決め、成形、且つ／又は構成され、容器４００の子供に安全で高齢者に優しい機能を証明する。
【００４０】
より詳細には、図２６に示されるように、（例えば、丸剤、錠剤などがその中に取り囲まれているように）容器４００が閉位置にあるとき、維持部４２０は、ラッチ部４５６の遠位又は自由端、すなわち唇部４５８と床部４５１との間に配設される。このようにして、蓋４１０は、開位置への移動が阻止される。すなわち、遠位部４５８及び床部４５１の少なくとも一方又は両方は、その間に維持部４２０を係合又は保持する。
【００４１】
図２４を参照すると、任意選択的に、唇部４５８は、ヒンジ４９０の反対とは方向にラッチ部４５６から外向きに延在する。より詳細には、ラッチ部４５６の内側又は内面は、平坦である。唇部４５８は、ラッチ部４５６の外側又は外面から外向きに円弧状に延在することができる。したがって、唇部４５８は、容器４００が閉位置にあるとき、蓋４１０の少なくとも一部（例えば、その維持部４２０など）を捕らえる領域又は空洞を形成する。
【００４２】
容器４００は、子供以外の人には直ちに明らかである単純な動作によって開位置へ移動させることができる。大人が容器４００を開けることを望む場合、大人は、遠位部４５８が蓋４１０の維持部４２０をもはや妨げないところまでラッチ部４５６を内向きに押すことができる（例えば、ラッチ部４５６を床部４５１の周りで少なくともわずかに枢動させ、且つ／又はラッチ部４５６をヒンジ４９０の方へ移動させる）。この時点で、ユーザは、タブ４１６、４１８の一方及び／若しくは両方（又は蓋４１０の別の部品）を押して又は引いて、蓋４１０を開けることができる。ユーザが蓋４１０を閉じることを望む場合、ユーザは、維持部４２０がラッチ部４５６に係合するまで蓋４１０を閉位置の方へ反対方向に移動させることができる。維持部４２０の閉位置の方への連続的な移動により、ラッチ部４５６は、ヒンジ４９０の方へ（例えば、容器４００の幾何学的中心の方へ内向きに）枢動する。維持部４２０がラッチ部４５６を通過すると、閉位置の方へ付勢されるラッチ部４５６は、（例えば、維持部４２０に係合する）閉位置になるまで、ヒンジ４９０から離れるように枢動して戻る。このように、容器４００は、子供に安全で高齢者に優しい機能を有する。
【００４３】
開示される概念による容器５００の第５の実施形態が図２７〜３４に示されている。図１〜７の実施形態と図２７〜３４の実施形態との間の類似の構造又は同一の構造は、図１〜７の参照番号より５００大きい参照番号により、図２７〜３４において識別される。図１〜７の実施形態と図２７〜３４の実施形態との間の特定の類似点の説明は、便宜及び簡潔さのみのために本明細書で省略され得る。
【００４４】
容器５００は、蓋５１０と、ヒンジ（例えば、図３２に示される、ヒンジ５９０を参照されたい）で蓋５１０に任意選択的に接続された基部５５０とを含む。開示される概念に従って、容器５００は、子供に安全で高齢者に優しい手段を含む。
【００４５】
より詳細には、図３２に示されるように、基部５５０は、床部５５１と、床部５５１から上向きに延在する壁５５４と、床部５５１から上向きに延在し、任意選択的に床部５５１に対して垂直である少なくとも１つ又は対向する撓み部材５５６、５５８の対とを有する。任意選択的に、壁全体５５４は、床部５５１の外縁から内向きに間隔があけられている。さらに、各撓み部材５５６、５５８は、床部５５１に形成されるカットアウトに配置することができる。任意選択的に、各撓み部材５５６、５５８は、壁５５４から外向きに離間している。当然のことながら、各撓み部材５５６、５５８は、代替的な実施形態において、基部５５０から延在する可能性がある。各撓み部材５５６、５５８は、それぞれその遠位部又は自由端にフック部５６０、５６２を任意選択的に含む。フック部５６０、５６２は、反対の方向に（例えば、一方は容器５００の右に、一方は容器５００の左に）延在することができる。
【００４６】
蓋５１０は、天井部５１１と、天井部５１１から下向きに延在して、任意選択的に天井部５１１に垂直である壁５１４とを含む。壁５１４は、本体部５１２の外周又は端縁で配置することができ、それにより、容器５００が閉位置にあるとき、壁全体５１４が壁全体５５４を取り囲む。少なくとも１つ又は対向する保持部又は保持部材５１６、５１８の対は、天井部５１１から下向きに延在し、任意選択的に天井部５１１に垂直である。各保持部５１６、５１８は、天井部５１１の外周から内向きに間隔をあけることができる。少なくとも１つのタブ５２０は、壁５１４から放射状外向きに延在することができる。
【００４７】
図３４に示されるように、保持部５１６は、その遠位部又は自由端にフック部５２２を含む。保持部５１８は、同様にその遠位部又は自由端にフック部を有することが理解されるであろう。フック部５２２のそれぞれは、容器５００の中心の方へ内向きに延在する又は内側を向く。保持部５１６、５１８のフック部の少なくとも１つと撓み部材５５６、５５８のフック部の少なくとも１つとの相互作用は、有利には、子供に安全で高齢者に優しい機能を容器５００に提供する。
【００４８】
より詳細には、図３１に示されるように、一実施形態の容器５００が閉位置にあるとき、保持部５１６のフック部５２２は、撓み部材５５６のフック部５６０に係合し、保持部５１８のフック部は、撓み部材５５８のフック部５６２に係合する。このようにして、蓋５１０は、例えば、限定されるものではないが、子供がヒンジ５９０の周りで蓋５１０を枢動させるよう試みることによる開放動作など、単純な開放動作によって開けられることが阻止される。しかしながら、開示される概念に従って、容器５００を使用する大人には、容器５００を開ける比較的単純な機構（すなわち高齢者に優しい手段）が提供される。
【００４９】
より正確には、大人は、単独の撓み部材又は各撓み部材５５６、５５８を互いの方へ簡単に曲げる（例えば、つまむ）ことができる（すなわち放射状に内向きに且つ／又は互いの方へ床部５５１の周りにそれらを枢動させる）。このようにして、フック部５６０は、フック部５２２を解放し（すなわち開放動作が行われることをもはや妨げず、阻止しない）、フック部５６２は、保持部５１８のフック部を解放する（すなわち開放動作が行われることをもはや妨げず、阻止しない）。したがって、フック部５２２、５６０、５６２が互いから解放されると、蓋５１０は、比較的単純な従来の開放動作で（例えば、限定ではないが、ヒンジ５９０の周りにタブ５２０を枢動させることで）開けることができる。このようにして、容器５００は、有益な子供に安全で高齢者に優しい機能を有する。
【００５０】
開示される概念による容器６００の第６の実施形態が図３５〜３９に示されている。図１〜７の実施形態と図３５〜３９の実施形態との間の類似の構造又は同一の構造は、図１〜７の参照番号より６００大きい参照番号により、図３５〜３９において識別される。図１〜７の実施形態と図３５〜３９の実施形態との間の特定の類似点の説明は、便宜及び簡潔さのみのために本明細書で省略され得る。
【００５１】
容器６００は、蓋６１０と、ヒンジ（例えば、図３５に示される、ヒンジ６９０を参照されたい）で蓋６１０に任意選択的に接続された基部６５０とを含む。開示される概念に従って、容器６００は、子供に安全で高齢者に優しい機能をさらに含む。
【００５２】
基部６５０は、床部６５１と、床部６５１から上向きに延在して、任意選択的に床部６５１に垂直である外壁６５２と、床部６５１から上向きに延在して、任意選択的に床部６５１に垂直である内壁６５４とを含む。外壁６５２は、床部６５１の全周にわたって延在することができる。対照的に、内壁６５４は、任意選択的に、床部６５１を横切って横方向に延在する。内壁６５４は、外壁６５２から内向きに間隔をあけている。
【００５３】
少なくとも１つの維持タブ６５６は、床部６５１から離れて上向きに延在し、任意選択的に床部６５１に垂直である。維持タブ６５６の下端は、床部６５１に接触することができるか若しくは床部６５１と同一平面上とすることができるか、又は維持タブ６５６の下端は、床部６５１から少なくともわずかに離間させることができる。少なくとも１つのボタン機構６６０は、外壁６５２から外向きに横方向に（例えば、前面に）延在する。少なくとも１つのボタン機構６６０は、少なくとも１つの維持タブ６５６とともに一体的に又は単一的に形成することができる。さらに、図３７に示されるように、床部６５１は、その縁部６６２に穴（貫通穴）を有する。穴又は縁部６６２は、少なくとも１つの維持タブ６５６から離間させることができる。例えば、縁部６６２は、床部６５１の右側に（例えば、容器６００の仮想中心線６９２の右に）配置することができる一方、維持タブ６５６は、床部６５１の左側に配置することができる。
【００５４】
任意選択的に、少なくとも１つの維持タブ６５６は、外壁６５２から少なくともわずかに内向きに間隔をあけることができる。このような構成において、図３６及び３７に示されるように、維持タブ６５６の外面は、外壁６５２の内面と接触させることができるか、又は外壁６５２の内面に非常に接近させることができる。代替的な実施形態において、少なくとも１つの維持タブ６５６は、外壁６５２のカットアウトとして形成することができ、それにより、維持タブ６５６の外面又は表面は、外壁６５２の外面又は表面と略同一平面又は厳密に同一平面上である。任意選択的に、少なくとも１つの維持タブ６５６は、容器６００の中心線６９２の第１の側又は（容器６００を前側から見て）左側に位置付けられるか又は配置される。さらに、一実施形態において、少なくとも１つの維持タブ６５６の遠位端又は自由端は、外壁６５２の頂面上に延在する。
【００５５】
図３６を参照すると、蓋６１０は、基部６５０と同様に構成することができる。例えば、蓋６１０は、ルーフ又は天井部６１１と、天井部６１１から下向きに延在して、任意選択的に天井部６１１に垂直である外壁６１２と、天井部６１１から下向きに延在して、任意選択的に天井部６１１に垂直である内壁６１４とを含む。外壁６１２は、天井部６１１の全周にわたって延在することができる。対照的に、内壁６１４は、天井部６１１を横切って略横方向に延在する。内壁６１４は、外壁６１２から内向きに間隔をあけている。少なくとも１つの維持タブは、天井部６１１から下向きに延在することができ、任意選択的に天井部６１１に垂直である。少なくとも１つのボタン機構６２０は、外壁６１２から外向きに横方向に延在する。少なくとも１つのボタン機構６２０は、蓋６１０の少なくとも１つの維持タブとともに一体的に又は単一的に形成することができる。さらに、示されるように、天井部６１１は、貫通穴を画定する縁部６２２を有し、それは、一実施形態において、蓋６１０の少なくとも１つの維持タブの遠位端又は自由端より少なくともわずかに大きい。任意選択的に、蓋６１０の少なくとも１つの維持タブは、容器６００の中心線６９２の反対側の第２の側又は（容器６００を前側から見て）右側に位置付けられるか又は配置される。さらに、一実施形態において、蓋６１０の少なくとも１つの維持タブの遠位端又は自由端は、外壁６１２の底面より下に延在する。
【００５６】
任意選択的に、第１の開口部６６８は、基部６５０の外壁６５２を通して延在し、第２の開口部６６９は、蓋６１０の外壁６１２を通して延在する。第１のタブ６５６のボタン６６０の少なくとも一部は、容器６００が閉位置にあるとき、第１の開口部６６８を通して延在する。第２のタブのボタン６２０の少なくとも一部は、容器６００が閉位置にあるとき、第２の開口部６６９を通して延在する。
【００５７】
基部６５０の維持タブ６５６及び蓋６１０の維持タブは、それぞれその遠位部又は自由端において、対応するフック部６５８、６１８を有する。フック部６５８、６１８と縁部６６２、６２２によって画定された貫通穴との相互作用は、有利には、子供に安全で高齢者に優しい機能を容器６００に提供する。
【００５８】
より詳細には、図３５、３８及び３９に示されるように、容器６００が閉位置にあるとき、フック部６１８、６５８は、それぞれの縁部６２２、６６２に係合する。図３９に示されるように、フック部６５８は、蓋６１０を従来の方法で開けることを阻止するように、縁部６２２をブロックするか、係合するか又は妨げる。フック部６１８及び縁部６６２は、同等の方法で機能することが理解されるであろう。しかしながら、開示される概念に従って、容器６００を開けるために、ユーザは、ボタン機構６２０、６６０を内向きに押すことができる。このようにすると、維持タブのそれぞれは、床部６５１又は天井部６１１の周りに枢動する。維持タブのそれぞれが十分に遠くまで枢動すると、そのフック部は、それぞれの縁部から解放される。このプロセスが生じると、蓋６１０は、（例えば、基部に対して蓋を枢動させることなどによって）簡単に開けることができる。このようにして、容器６００は、有益な子供に安全で高齢者に優しい機能を有する。本実施形態は、２つの離れた別個の維持タブ及び縁部を含むことに限定されない。代わりに、容器６００は、蓋の天井部又は基部の床部から延在する１つの維持タブ並びに基部及び蓋の他方に配置される１つの縁部の形態における、子供に安全で高齢者に優しい手段を含むことができる。
【００５９】
任意選択的に、２つの維持タブを含むある実施形態において、各タブは、容器の関連する部分からそれぞれのフック部６１８、６５８を解放するために同時に押される。或いは、タブは、連続して又は順番に押すことができる。
【００６０】
容器１００、２００、３００、４００、５００又は６００のいずれも、例えば、限定されるものではないが、丸剤、錠剤、ジェルキャップ、カプセルなどを収納するために採用され得る。或いは、そのような容器１００、２００、３００、４００、５００又は６００のいずれも、タバコ含有物質、ニコチン置換処方薬又は大麻含有物質を収納するために使用され得る。容器は、ポリマー材料又は金属合金など、軽量で高強度の材料から形成することができる。容器は、個人の手掌中に適合するように寸法決めすることができるか、又は比較的大きい製品（例えば、洗浄用品）を受け入れるために非常に大きくすることができる。
【００６１】
図４０〜４４は、図３５〜３９に示される容器６００の特徴と略類似した特徴を含む、別の実施形態の容器７００を示す。図４５〜４６は、図３５〜３９に示される容器６００の特徴と略類似した特徴を含む、さらに別の容器８００を示す。図４７〜４８は、図３５〜３９に示される容器６００の特徴と略類似した特徴を含む、さらなる実施形態の容器９００をさらに示す。図４０〜４４の実施形態と図３５〜３９の実施形態との間の特定の類似点の説明は、便宜及び簡潔さのみのために本明細書で省略される。
【００６２】
以下の例示的な実施形態は、ここで開示する技術の任意選択の態様をさらに説明し、この詳細な説明の一部である。これらの例示的な実施形態は、特許請求の範囲に略類似のフォーマットで示される（それぞれ一文字が続く数字表示を有する）が、それらは、厳密には本出願の特許請求の範囲ではない。以下の例示的な実施形態は、「請求項」の代わりに「実施形態」として従属的関係で互いに参照する。以下で説明される実施形態のいずれも、以下に列挙される明示的な依存関係に関係なく、組み合わせることができるか又は任意の組合せから除外することができる。
【００６３】
１Ａ．床部と床部から上向きに延在する外壁とを含む基部と、
天井部と天井部から下向きに延在する外壁とを含む蓋であって、閉位置と開位置との間で基部に対して移動可能であり、閉位置において、組み合わされた蓋及び基部は、製品を取り囲むように構成された空洞を画定する、蓋と
を含み、
基部及び蓋の一方は、床部から上向きに離れて又は天井部から下向きに離れて延在するラッチ機構を含み、ラッチ機構は、基部及び蓋に対して枢動可能であり、ラッチ機構の少なくとも一部は、閉位置において基部及び蓋の他方に係合し、ラッチ機構は、開位置において基部及び蓋の他方から離間している、容器。
【００６４】
２Ａ．蓋の外壁は、溝付区域を含み、蓋が閉位置にあるとき、ラッチ機構の遠位端は、溝付区域に係合する、本明細書のいずれかの実施形態、任意選択的に実施形態１Ａ又は１Ｂに記載の容器。
【００６５】
３Ａ．溝付区域は、基部を蓋に接続するヒンジの反対側にある、本明細書のいずれかの実施形態、任意選択的に実施形態２Ａに記載の容器。
【００６６】
４Ａ．歯は、溝付区域の両側で蓋の天井部から下向きに延在しており、各歯は、蓋の外壁よりもさらに下向きに延在する、本明細書のいずれかの実施形態、任意選択的に実施形態２Ａに記載の容器。
【００６７】
５Ａ．ラッチ機構の近位端は、基部の床部と一体的に形成されている、本明細書のいずれかの実施形態、任意選択的に実施形態４Ａに記載の容器。
【００６８】
６Ａ．基部は、基部の外壁から内向きに間隔をあけられた内壁を含む、本明細書のいずれかの実施形態、任意選択的に実施形態４Ａ及び１Ｄの１つに記載の容器。
【００６９】
１Ｂ．床部と床部から上向きに延在する外壁とを含む基部であって、ラッチ機構は、基部の床部から離れて上向きに延在しており、ラッチ機構は、基部に対して枢動可能である、基部と、
天井部と天井部から下向きに延在する外壁とを含む蓋であって、閉位置と開位置との間で基部に対して移動可能であり、閉位置において、組み合わされた蓋及び基部は、製品を取り囲むように構成された空洞を画定し、少なくともラッチ機構の遠位部は、閉位置で蓋に係合し、少なくともラッチ機構の遠位部は、開位置で蓋から離間している、蓋と
を含む容器。
【００７０】
１Ｃ．製品をその中に収納するための容器であって、
製品を収納するための内部と、内部につながる開口とを画定する容器本体と、
蓋が開口を覆って、製品をその中で取り囲む閉位置と、開口が露出された開位置との間で容器を移動させるために容器本体に対して移動可能である蓋と、
ラッチ機構が閉位置の蓋に係合するロック位置と、ラッチ機構が蓋の開位置への移動を可能にするアンロック位置との間を移動するように構成されたラッチ機構と
を含み、
ラッチ機構は、容器本体及び蓋の１つから離れる第１の方向にラッチ機構の自由端を移動させることを含む第１の移動により、ロック位置からアンロック位置まで移動可能である、容器。
【００７１】
２Ｃ．容器本体を蓋に取り付けるヒンジをさらに含み、ラッチ機構は、ヒンジの反対側の容器の一方側に位置付けられている、本明細書のいずれかの実施形態、任意選択的に実施形態１Ｃに記載の容器。
【００７２】
１Ｄ．床部と床部から上向きに延在する外壁とを含む基部と、
天井部と天井部から下向きに延在する外壁とを含む蓋であって、閉位置と開位置との間で基部に対して移動可能であり、閉位置において、組み合わされた蓋及び基部は、製品を取り囲むように構成された空洞を画定する、蓋と
を含み、
基部及び蓋の一方は、床部から離れて上向きに又は天井部から下向きに延在する少なくとも１つの保持部材を含み、保持部材は、基部及び蓋に対して枢動可能であり、保持部材の少なくとも一部は、閉位置において基部及び蓋の他方に係合し、保持部材は、開位置において基部及び蓋の他方から離間しており、
基部及び蓋の他方は、それを通して延在する少なくとも１つの溝を含み、蓋が閉位置にあるとき、保持部材の少なくとも一部は、少なくとも１つの溝を通して延在している、容器。
【００７３】
２Ｄ．保持部材の下端は、基部の床部と一体的に形成されている、本明細書のいずれかの実施形態、任意選択的に実施形態１Ｄに記載の容器。
【００７４】
３Ｄ．少なくとも１つの溝は、蓋の外壁の内面上のポケット内に配置されている、本明細書のいずれかの実施形態、任意選択的に実施形態１Ｄに記載の容器。
【００７５】
４Ｄ．少なくとも１つの保持部材は、少なくとも２つの保持部材を含み、各保持部材は、容器の異なる側に配置されている、本明細書のいずれかの実施形態、任意選択的に実施形態１Ｄに記載の容器。
【００７６】
５Ｄ．ヒンジは、蓋を基部に接続し、ヒンジは、保持部材のそれぞれと容器の異なる側に配置されている、本明細書のいずれかの実施形態、任意選択的に実施形態４Ｄに記載の容器。
【００７７】
６Ｄ．保持部材は、基部の外壁に形成されている、本明細書のいずれかの実施形態、任意選択的に実施形態１Ｄ〜４Ｄのいずれか一項に記載の容器。
【００７８】
１Ｅ．床部と床部から上向きに延在する外壁とを含む基部と、
天井部と天井部から下向きに延在する外壁とを含む蓋であって、閉位置と開位置との間で基部に対して移動可能であり、閉位置において、組み合わされた蓋及び基部は、製品を取り囲むように構成された空洞を画定する、蓋と
を含み、
基部及び蓋の一方は、その外壁から外向きに延在する２つの固定部材を含み、各固定部材は、基部及び蓋に対して移動可能であり、各固定部材の少なくとも一部は、閉位置で基部及び蓋の他方に係合する、容器。
【００７９】
２Ｅ．基部及び蓋の他方は、突出部を含み、各固定部材は、閉位置で突出部に係合する、本明細書のいずれかの実施形態、任意選択的に実施形態１Ｅに記載の容器。
【００８０】
３Ｅ．各固定部材の内側端部は、フック部を含み、フック部は、閉位置で突出部に係合する、本明細書のいずれかの実施形態、任意選択的に実施形態２Ｅに記載の容器。
【００８１】
４Ｅ．２つの固定部材の外側端部は、互いの方へ移動するように構成されており、それによりフック部を突出部から離れるように移動させ、蓋が開位置へ移動することを可能にする、本明細書のいずれかの実施形態、任意選択的に実施形態３Ｅに記載の容器。
【００８２】
５Ｅ．２つの固定部材は、蓋に取り付けられており、突出部は、基部上に配置されており、突出部は、蓋を基部に接続するヒンジの反対側に位置付けられている、本明細書のいずれかの実施形態、任意選択的に実施形態２Ｅに記載の容器。
【００８３】
１Ｆ．床部と床部から上向きに延在する壁とを含む基部と、
天井部と天井部から下向きに延在する壁とを含む蓋であって、閉位置と開位置との間で基部に対して移動可能であり、閉位置において、組み合わされた蓋及び基部は、製品を取り囲むように構成された空洞を画定する、蓋と
を含み、
基部及び蓋の一方は、少なくとも１つのラッチ機構を含み、ラッチ機構は、床部又は天井部に対して枢動可能であり、
基部及び蓋の他方は、それを通して延在する少なくとも１つの開口を含み、容器が閉位置にあるとき、少なくとも１つのラッチ機構の少なくとも一部は、少なくとも１つの開口を通して延在している、容器。
【００８４】
２Ｆ．基部の壁は、床部の外周全体から内向きに間隔をあけている、本明細書のいずれかの実施形態、任意選択的に実施形態１Ｆ及び１Ｇのいずれか一項に記載の容器。
【００８５】
３Ｆ．蓋は、その壁から外向きに延在する２つのタブを含み、ヒンジは、基部を蓋に接続し、ヒンジは、２つのタブを含む壁の側面の反対側の蓋の壁の側面に取り付けられている、本明細書のいずれかの実施形態、任意選択的に実施形態１Ｆ及び２Ｆのいずれか一項に記載の容器。
【００８６】
４Ｆ．少なくとも１つのラッチ機構は、唇部を含み、容器が閉位置にあるとき、蓋の少なくとも一部は、２つのタブの間で蓋に係合する、本明細書のいずれかの実施形態、任意選択的に実施形態３Ｆに記載の容器。
【００８７】
５Ｆ．少なくとも１つのラッチ機構は、基部の床部の外周と基部の壁との間に位置付けられている、本明細書のいずれかの実施形態、任意選択的に実施形態１Ｆ及び２Ｆのいずれか一項に記載の容器。
【００８８】
１Ｇ．床部と床部から上向きに延在する壁とを含む基部と、
天井部と天井部から下向きに延在する壁とを含む蓋であって、閉位置と開位置との間で基部に対して移動可能であり、閉位置において、組み合わされた蓋及び基部は、製品を取り囲むように構成された空洞を画定する、蓋と
を含み、
基部及び蓋の一方は、少なくとも１つの保持部材を含み、少なくとも１つの保持部材は、床部又は天井部に対して枢動可能であり、少なくとも１つの保持部材は、その遠位端又は自由端にフック部を含み、
基部及び蓋の他方は、少なくとも１つの撓み部材を含み、少なくとも１つの撓み部材は、床部又は天井部に対して枢動可能であり、少なくとも１つの撓み部材は、その遠位端又は自由端にフック部を含み、
閉位置において、少なくとも１つの保持部材のフック部は、少なくとも１つの撓み部材のフック部材に係合する、容器。
【００８９】
２Ｇ．蓋は、天井部から下向きに延在する少なくとも２つの保持部材を含み、基部は、その床部から上向きに延在する少なくとも２つの撓み部材を含む、本明細書のいずれかの実施形態、任意選択的に実施形態１Ｇに記載の容器。
【００９０】
３Ｇ．各撓み部材は、基部の壁から外向きに間隔をあけている、本明細書のいずれかの実施形態、任意選択的に実施形態２Ｇに記載の容器。
【００９１】
４Ｇ．各保持部材は、蓋の壁から内向きに間隔をあけている、本明細書のいずれかの実施形態、任意選択的に実施形態２Ｇ又は３Ｇのいずれか一項に記載の容器。
【００９２】
５Ｇ．各撓み部材は、基部の床部に形成されたカットオフに配置されている、本明細書のいずれかの実施形態、任意選択的に実施形態２Ｇ〜４Ｇのいずれか一項に記載の容器。
【００９３】
６Ｇ．製品は、丸剤、錠剤、ジェルキャップ、カプセル、タバコ含有物質、ニコチン置換処方薬及び大麻含有物質の１つである、本明細書のいずれかの実施形態、任意選択的に実施形態１Ａ〜１Ｇのいずれか一項に記載の容器。
【００９４】
ここで開示する技術は、特定の機能及びそれらの関係の実装形態を示す機能的な構築ブロックを使用して上で説明された。これらの機能的な構築ブロックの境界は、説明の利便性のために本明細書で任意に定義されてきた。特定の機能及びそれらの関係が適切に実行される限り、代替的な境界を定義することができる。
【００９５】
特定の実施形態に関する前述の説明は、ここで開示する技術の一般的性質を非常に十分に明らかにしていると思われるため、当技術分野の範囲内の知識を適用することにより、他者は、不適当な実験なしに、ここで開示する技術の一般的概念から逸脱することなく、そのような特定の実施形態を容易に変更し、且つ／又はさまざまな用途のために適合させることができる。したがって、本明細書に提示された教示及び指針に基づき、そのような適合形態及び変更形態は、開示された実施形態の均等物の意味及び範囲内にあると意図され、本明細書の語法又は用語は、説明のためのものであり、限定するものではないため、本明細書の用語又は語法は、教示及び指針を考慮して当業者によって解釈されるべきであることが理解されるべきである。
【００９６】
ここで開示する技術の幅及び範囲は、上記のいずれの例示的な実施形態によっても限定されるべきではなく、以下の特許請求の範囲及びそれらの均等物のみに従って定義されるべきである。
【図１】
2020518520.tif 000003
【図２】
2020518520.tif 000004
【図３】
2020518520.tif 000005
【図４】
2020518520.tif 000006
【図５】
2020518520.tif 000007
【図６】
2020518520.tif 000008
【図７】
2020518520.tif 000009
【図８】
2020518520.tif 000010
【図９】
2020518520.tif 000011
【図１０】
2020518520.tif 000012
【図１１】
2020518520.tif 000013
【図１２】
2020518520.tif 000014
【図１３】
2020518520.tif 000015
【図１４】
2020518520.tif 000016
【図１５】
2020518520.tif 000017
【図１６】
2020518520.tif 000018
【図１７】
2020518520.tif 000019
【図１８】
2020518520.tif 000020
【図１９】
2020518520.tif 000021
【図２０】
2020518520.tif 000022
【図２１】
2020518520.tif 000023
【図２２】
2020518520.tif 000024
【図２３】
2020518520.tif 000025
【図２４】
2020518520.tif 000026
【図２５】
2020518520.tif 000027
【図２６】
2020518520.tif 000028
【図２７】
2020518520.tif 000029
【図２８】
2020518520.tif 000030
【図２９】
2020518520.tif 000031
【図３０】
2020518520.tif 000032
【図３１】
2020518520.tif 000033
【図３２】
2020518520.tif 000034
【図３３】
2020518520.tif 000035
【図３４】
2020518520.tif 000036
【図３５】
2020518520.tif 000037
【図３６】
2020518520.tif 000038
【図３７】
2020518520.tif 000039
【図３８】
2020518520.tif 000040
【図３９】
2020518520.tif 000041
【図４０】
2020518520.tif 000042
【図４１】
2020518520.tif 000043
【図４２】
2020518520.tif 000044
【図４３】
2020518520.tif 000045
【図４４】
2020518520.tif 000046
【図４５】
2020518520.tif 000047
【図４６】
2020518520.tif 000048
【図４７】
2020518520.tif 000049
【図４８】
2020518520.tif 000050
【国際調査報告】
2020518520.tif 000051
2020518520.tif 000052